(57)【要約】パーソナルコンピューターへの文字入力では、キーボード入力に不慣れな人は、ブラインドタッチができない為、毎回キーボードと画面を確認しつつキーを打っている。したがって、入力作業が繁雑で時間もかかり疲労も大きい。キーボードを撮影する撮影装置（例えばビデオカメラ）を上方に設置し、その映像をパーソナルコンピューターディスプレーの脇に撮影装置（例えばビデオカメラ）からの映像が映し出されるディスプレーを新たに設置する事で自分の手指を含めたキーボードの状態とパーソナルコンピューターディスプレー画面に入力された文字とを同時に見ることで上記の問題を解決する。或いは、撮影装置（例えばビデオカメラ）からの映像をパーソナルコンピュータからのディスプレー画面の一部に表示することで上記同様に自分の手指を含めたキーボードの状態と画面に入力された文字とを同時に見ることで上記の問題を解決する。【特許請求の範囲】
【請求項１】
パーソナルコンピュータのキーボードの状態を撮影する撮影装置（例えばビデオカメラ）を設置し、付属品としてその映像が映し出されるディスプレーをパーソナルコンピューターディスプレーの脇に設置する事を特徴とするパーソナルコンピューターへの入力を容易にする補助器具。
【請求項２】
パーソナルコンピューターのキーボードの状態を撮影する撮影装置（例えばビデオカメラ）を設置し、その映像をパーソナルコンピューターディスプレー画面の一部に映写し出す事を特徴とするパーソナルコンピューターへの入力を容易にする撮影装置（例えばビデオカメラ）とパーソナルコンピューター画面への表示機能。
【発明の詳細な説明】
【技術分野】
【０００１】
この発明は、コンピューターへの入力の容易化に関している。ブラインドタッチが不慣れな高齢者や障害者等でも入力を容易に行える。情報通信、ビジネス支援さらに福祉、健康の分野である。語学学習等への応用により教育の分野にも活用できる。
【背景技術】
【０００２】
パーソナルコンピューターにはデスクトップ型とノート型がある。デスクトップ型はキーボードとディスプレーが分かれている。ノート型ではキーボードとディスプレーが一体となっている。パーソナルコンピューターへの文字入力はキーボードから行なうのが一般的である。
文字入力に未熟な人は、キーボード上の文字を目で確認し、キーを打つ。この為、ディスプレーの画面に示されるひらがなの文字を確認し、変換キーを叩いて変換された漢字を画面上で確認する。ローマ字入力の場合は、更にローマ字からひらがなへの変換を確認しなければならない。漢字変換の場合は正しい漢字を確認し再びキーを打つ事になる。この様に入力確認が繁雑である。
パーソナルコンピューターへの文字入力では、キーボード入力に習熟している人はキーボードを見ずにパーソナルコンピューターのディスプレーを見ながら入力ができる。しかし、キーボード入力に不慣れな人は、ブラインドタッチができない為、毎回キーボードの文字を確認しながらキーを打つ。したがって、キーボードの文字を見て打ちディスプレー上での入力を確認し、再度キーボードを見てキーを打つ作業を繰り返す。この様に入力作業が繁雑で時間も要し疲労する。キーボード操作の度に、画面から目を離すので何度も入力中の文字の位置を確認し、キーボードとディスプレー上で探すことになる煩わしさがある。キーボード入力が不慣れな人は、キーボードから目を離す事は入力作業の効率を低下させる。入力中の文字とキーボードの状態を目をそらす事なく同一視野内でキーボードを打つ事ができる事は入力作業のスピードと効率を飛躍的に高める。ノート型パーソナルコンピューターの場合は、キーボードとディスプレーが一体となっているが、キーボードは水平におかれ画面は垂直もしくは斜めから見るためにやはり入力の繁雑さを伴う。デスクトップ型のパーソナルコンピューターの場合でも同様に入力に繁雑さを伴う。この様な問題の解決として、キーボードの状態を鏡に映す方法のもの日本特開平８−１６２８９号、日本特開２００５−１９６３２２号が知られている。これらのものでは、鏡を用いているために視野が制限される点やパーソナルコンピューター及びキーボードの機種により補助装置が限定される。しかし本発明は、この様な視野の問題や機種の限定という欠点はない。更に、キーボードに補助画面を設置した日本特開平９−３０５２６６号、日本特開平７−３３４２８４号がある。この場合は、限られた量の入力情報しか、キーボード周辺で見ることが出来ない。本発明は、入力情報を多くすることのみならず、キーボードと入力の状態を画像処理等を用いることでより高度で高効率な機能へ発展させることができる。
【発明の開示】
【０００３】
本発明ではデスクトップ型及びノート型パーソナルコンピューターを対象としている。キーボードの状態を撮影する撮影装置（例えばビデオカメラ）を設置し、その映像を映写する補助ディスプレーを新たに設ける事により、自分の手指を含めたキーボードの状態とパーソナルコンピューターディスプレーに表示された入力中の文字を容易に確認する事ができる様にしたものである。撮影装置（例えばビデオカメラ）からの映像をパーソナルコンピューターディスプレーの一部に表示する事により同様に、自分の手指を含めたキーボードの状態とパーソナルコンピューターディスプレーに表示された入力中の文字を容易に確認する事ができる様にしたものである。
【図面の簡単な説明】
【０００４】
図１は、本発明で撮影装置（例えばビデオカメラ）及びそこからの映像を映し出す補助ディスプレーを示した正面及び上方からの複合図である。
図２は、本発明で撮影装置（例えばビデオカメラ）及びそこからの映像をパーソナルコンピューター（パソコン）からのディスプレーの一部に映し出した場合の正面及び上方からの複合図である。
【符号の説明】
【０００５】
１：キーボード
２：撮影装置（例えばビデオカメラ）
３：撮影装置から映像を映し出す補助ディスプレー
４：パーソナルコンピューター（パソコン）本体
５：パーソナルコンピューター（パソコン）からの入力状況を示すディスプレー画面
６：撮影装置からの映像をパーソナルコンピューター（パソコン）からのディスプレーの一部に映し出している様子
【発明を実施するための最良の形態】
【０００６】
この発明の実施の形態を図面を参照して実施例を説明する。図１は、請求項１に記載の補助ディスプレー付の場合の正面及び上方からの複合図である。キーボードを上方から撮影する撮影装置（例えばビデオカメラ）とその映像を映し出すディスプレー（補助画面）が示されている。作業者は実際のキーボードに触れつつ補助画面に写しだされているキーボードの状態とを見ながらパーソナルコンピューターディスプレーに映し出された入力状況を同一視野内に見ながら入力作業を行なう。この為、入力された文字とキーボードとを交互に視線を動かしつつ確認する事が不要となり、キーボードの操作に不慣れな人でも入力作業能率が大幅に向上し疲労もはるかに少ないものとなる。
図２は、後期の請求項２に記載の撮影装置（例えばビデオカメラ）からの映像をパーソナルコンピューターディスプレーに映し出す場合の正面及び上方からの図である。キーボードを上方から撮影する撮影装置（例えばビデオカメラ）とその映像がパーソナルコンピューター画面の一部に映し出されている状態が示されている。作業者は実際のキーボードに触れつつパーソナルコンピューター画面の一部に写しだされているキーボードの状態とパーソナルコンピューター画面の入力文字状況を同一視野内に見ながら入力作業を行なう。この為、入力された文字とキーボードとを交互に視線を動かしつつ確認する事が不要となり、キーボードの操作に不慣れな人でも文字入力作業能率が大幅に向上し疲労も遥かに少ないものとなる。
【産業上の利用可能性】
【０００７】
以上説明した様に本発明によれば、キーボードの状態を撮影できる撮影装置（例えばビデオカメラ）を撮影設置とそこからの映像を映し出す補助ディスプレー、又はそこからの映像をパーソナルコンピューター本体からのディスプレーの一部に写し出す機能を設置することで、入力者が視線を大きく転じることなく、入力が正しく実行されたか否かを容易に確認できる。キーボード全体が撮影されるので漢字変換や数字等も含めて所望の変換や入力を行なうことが容易に出来る等の効果がある。
ブラインドタッチが苦手な作業者、或いは、首の回転運動等に支障のある作業者でも効率的にキーボードから容易に入力できる。入力中のキーボードや指の状態を画像処理や入力方式に基づく変換を行うことで、更に高度で高効率な機能へと発展させることができる。本発明は、キーボードによるパーソナルコンピューターへの入力のみならず、ピアノ等の鍵盤楽器の鍵盤上に設置することにより初学者のピアノ等の学習を助ける目的に使用する事も可能である。つまりピアノ等の鍵盤と学習者の手指の状態を楽譜の脇に示す事で鍵盤を見ると同時にその楽譜を確認しつつ演奏する事が可能である。或いは、語学やカラオケ等の歌の発声の学習等の際に学習者の口等の形等を含めた状態を教師の見本の映像、テキストの単語や歌詞の譜面やその注意書き等を同時に見る事による学習効果の向上に用いる事が可能である。
【図１】
2006088251.tif 000002
【図２】
2006088251.tif 000003
【国際調査報告】
2006088251.tif 000004
2006088251.tif 000005